(57)【要約】【課題】  作業者が作業を行いながら容易に後方の状況を確認することができる刈払機を提供する。【解決手段】  作業者Ｍが携帯して使用する刈払機１であって、作業者Ｍが作業中に後方を視認するためのミラー１１を備えている。【選択図】  図１
0003208014.tif 000002
【実用新案登録請求の範囲】
【請求項１】
作業者が携帯して使用する刈払機であって、
前記作業者が作業中に後方を視認するためのミラーを備えた、刈払機。
【請求項２】
先端に刈刃が設けられた操作杆を備え、
前記ミラーは、前記操作杆に取り付けられた、
請求項１に記載の刈払機。
【請求項３】
前記ミラーは、その取付位置を前記操作杆の長手方向に変更可能に取り付けられた、
請求項２に記載の刈払機。
【請求項４】
先端に刈刃が設けられた操作杆と、
前記刈刃の外周部の一部を覆う飛散防止カバーとを備え、
前記ミラーは、前記飛散防止カバーに取り付けられた、
請求項１に記載の刈払機。
【請求項５】
先端に刈刃が設けられた操作杆と、
前記操作杆の長手方向中間部分に取り付けられて前記作業者が把持する操作ハンドルとを備え、
前記ミラーは、前記操作ハンドルに取り付けられた、
請求項１に記載の刈払機。
【考案の詳細な説明】
【技術分野】
【０００１】
本考案は、除草作業に用いられる刈払機に関する。
【背景技術】
【０００２】
従来より、田圃、公園、庭園、家の庭、土手、道路脇等の様々な場所の除草作業に携帯型の刈払機が用いられている（例えば、特許文献１参照）。携帯型の刈払機には、肩掛け式や背負い式のものがある。
【先行技術文献】
【特許文献】
【０００３】
【特許文献１】特開２０１１−８７５４９号公報
【考案の概要】
【考案が解決しようとする課題】
【０００４】
上記の刈払機は、パイプ状の操作杆の先端に刈刃が設けられて、この刈刃が回転することにより草刈りが行われるので、刈刃が人等に接触して事故等が起こらないように、周囲に人等がいないことを確認して作業を行う必要がある。作業者は、周囲を確認してから作業を開始するが、作業中においては、作業者の後方は死角となり、作業者が後方から近づく人等を確認するのは難しい。
【０００５】
本考案は上記のような課題を解決するためになされたもので、作業者が作業を行いながら容易に後方の状況を確認することができる刈払機を提供することを目的としている。
【課題を解決するための手段】
【０００６】
上記目的を達成するために、本考案のある態様に係る刈払機は、作業者が携帯して使用する刈払機であって、前記作業者が作業中に後方を視認するためのミラーを備えている。
【０００７】
この構成によれば、作業者は作業を行いながらミラーを見て容易に後方の状況を確認することができる。
【０００８】
また、先端に刈刃が設けられた操作杆を備え、前記ミラーは、前記操作杆に取り付けられていてもよい。
【０００９】
この構成によれば、作業者は、作業中に刈刃を見ている視野内でミラーを見ることができる。
【００１０】
また、前記ミラーは、その取付位置を前記操作杆の長手方向に変更可能に取り付けられていてもよい。
【００１１】
この構成によれば、ミラーの取付位置を作業者が見やすい位置に変更（調整）することができる。
【００１２】
また、先端に刈刃が設けられた操作杆と、前記刈刃の外周部の一部を覆う飛散防止カバーとを備え、前記ミラーは、前記飛散防止カバーに取り付けられていてもよい。
【００１３】
この構成によれば、作業者は、作業中に刈刃を見ている視野内でミラーを見ることができる。
【００１４】
また、先端に刈刃が設けられた操作杆と、前記操作杆の長手方向中間部分に取り付けられて前記作業者が把持する操作ハンドルとを備え、前記ミラーは、前記操作ハンドルに取り付けられていてもよい。
【００１５】
この構成によれば、作業者は、近い位置でミラーを見ることができる。
【考案の効果】
【００１６】
本考案は、以上に説明した構成を有し、作業者が作業を行いながら容易に後方の状況を確認することができる刈払機を提供することができるという効果を奏する。
【図面の簡単な説明】
【００１７】
【図１】図１は、本考案の実施形態の一例の刈払機の使用状態を示す概略図である。
【図２】図２は、図１に示す刈払機の斜視図である。
【考案を実施するための形態】
【００１８】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１９】
（実施形態）
図１は、本考案の実施形態の一例の刈払機の使用状態を示す概略図である。図２は、図１に示す刈払機の斜視図である。
【００２０】
この刈払機１は、パイプ状の操作杆２と、操作杆２の基端部に設けられた原動機３と、操作杆２の先端部に設けられた伝動ユニット（ギヤボックス）４と、伝動ユニット４に連結された刈刃５と、作業者Ｍが両手で把持する操作ハンドル６と、肩掛けバンド７と、飛散防止カバー８と、後方確認用ミラー１１等を備えている。また、原動機３によって回転駆動される駆動軸（図示せず）が、操作杆２の中に回転可能に通されて伝動ユニット４に連結されている。
【００２１】
原動機３は、エンジンまたは電動モータ等で構成される。原動機３が発生した動力は、駆動軸（図示せず）及び伝動ユニット４を介して刈刃５に伝達され、刈刃５が回転する。刈刃５は交換可能であり、刈刃５としては、周知のもの、例えば、チップソー、４枚刃や８枚刃の金属製のもの、ナイロンコードカッター等を用いることができる。飛散防止カバー８は、刈った草や小石等が刈刃５によって作業者に向かって飛散するのを防止するためのもので、刈刃５の外周部の一部（後側部分）を覆うように操作杆２の先端近傍に取り付けられている。
【００２２】
この刈払機１は、操作杆２の長手方向中間部分に肩掛けバンド７及び操作ハンドル６を備えた形式の肩掛け式刈払機である。作業者Ｍは、肩掛けバンド７を肩に掛けることで刈払機１を吊り下げることができる。そして、作業者Ｍは、操作ハンドル６の左右のグリップ６ａ、６ｂを把持して、例えば右側のグリップ６ａに設けられたスロットルレバーを操作して刈刃５を回転させた状態で、操作杆２を左右に振って雑草を刈ることができる。
【００２３】
図１に示された刈払機１において、後方確認用ミラー１１以外の構成は、周知の構成である。本実施形態では、操作杆２の先端寄りの部分に、作業者Ｍが除草作業を行いながら後方を視認するための後方確認用ミラー１１が取り付けられている。後方確認用ミラー１１は、例えば平面鏡で構成されるが、広範囲を見ることができる曲面鏡（凸面鏡）で構成されていてもよい。
【００２４】
この後方確認用ミラー１１の取付構造の一例について説明する。図２に示すように、後方確認用ミラー１１には、ミラー支持部１２が設けられている。円１００内の拡大図に示されるように、ミラー支持部１２の取付側端部及びその近傍部分はおねじ部１２ａとなっている。そして、このおねじ部１２ａが、操作杆２を把持する把持部１３に、上部ナット１４と下部ナット１５とで固定されている。
【００２５】
把持部１３は、操作杆２が挿入される円に近い円弧状部分１３ａと、この円弧状部分１３ａの両端から外側へ突出しておねじ部１２ａを挿通する穴が設けられた２つの被固定部１３ｂ，１３ｃとを有している。把持部１３は、その円弧状部分１３ａの柔軟性によって被固定部１３ｂ，１３ｃの隙間を広げることができ、この隙間から操作杆２を押し込んで把持部１３を操作杆２に嵌めて、この状態で、予め上部ナット１４が取り付けられたミラー支持部１２のおねじ部１２ａを被固定部１３ｂ，１３ｃの穴に挿入し、おねじ部１２ａに下方から下部ナット１５を螺合させて締め付けることにより、後方確認用ミラー１１を操作杆２に固定している。また、下部ナット１５を緩めて、把持部１３を操作杆２の長手方向に移動させた後、下部ナット１５を再度締め付けることにより、後方確認用ミラー１１の取付位置を変更することができる。
【００２６】
なお、上記の後方確認用ミラー１１の取付構造は、一例であり、種々変更することができる。例えば、パッチン錠等を用いて操作杆２に取り付けることも考えられる。
【００２７】
上記の本実施形態の一例では、後方確認用ミラー１１を設けているので、作業者Ｍは刈払機１を使用中（作業中）に後方確認用ミラー１１を見て、同ミラー１１に映る後方の状況を確認することができる。すなわち、作業者Ｍは刈払機１を使用して除草作業を行いながら後方確認用ミラー１１を見て容易に後方の状況を確認することができる。例えば、土手や道路脇等の除草作業を行う場合に、作業者Ｍは、後方確認用ミラー１１を見て、後方から近づく人や、自転車、車等に気づくことができる。
【００２８】
また、後方確認用ミラー１１を操作杆２に取り付けることにより、作業者Ｍは、除草作業中は刈刃５を見ているので、その刈刃５を見ている視野内で後方確認用ミラー１１を見ることができる。また、後方確認用ミラー１１は、その取付位置を操作杆２の長手方向に変更可能に取り付けられているので、作業者Ｍが見やすい位置に変更（調整）することができる。
【００２９】
また、後方確認用ミラーとしては、図２に二点鎖線で示すように、飛散防止カバー８に後方確認用ミラー２１を取り付けてもよい。この場合も、作業者Ｍは、除草作業中に刈刃５を見ている視野内で後方確認用ミラー２１を見ることができる。
【００３０】
また、後方確認用ミラーとしては、図２に二点鎖線で示すように、操作ハンドル６のグリップ６ａに後方確認用ミラー３１を取り付けてもよい。この場合、作業者Ｍは、近い位置で後方確認用ミラー３１を見ることができる。また、この後方確認用ミラー３１は、矢印Ｄで示すように、開閉（折り畳み）可能なようにしてもよい。
【００３１】
なお、後述の後方確認用ミラー２１，３１は、平面鏡で構成されてもよいが、いずれも小さいので、広範囲が見えるように曲面鏡（凸面鏡）で構成された方が好ましい。
【００３２】
なお、いずれの後方確認用ミラー１１，２１，３１の場合でも、除草作業を行う際には、図１の矢印Ａで示すように、作業者Ｍは、刈刃５を右から左へ移動させて雑草を刈って、右へ戻し（破線矢印Ｂで示す）、次に矢印Ｃで示すように、再度、刈刃５を右から左へ移動させて雑草を刈って、右へ戻すということを繰り返して除草作業を行う。そのため、刈刃５を右へ戻したときに作業者Ｍが後方確認用ミラー１１，２１，３１を見て後方の確認を行えるようにすることが好ましい。よって、上記の各例では、後方確認用ミラー１１を操作杆２の右側に取り付けるようにし、また、後方確認用ミラー２１を飛散防止カバー８の右側に取り付けるようにし、また、後方確認用ミラー３１を右側のグリップ６ａに取り付けるようにしている。
【００３３】
このような後方確認用ミラーは、１つだけ設けられていてもよいし、複数設けられていてもよい。また、３つの後方確認用ミラー１１，２１，３１はそれぞれ後方確認用ミラーの一例であり、その取付部分が限定されるものではない。すなわち、後方確認用ミラーは、作業者が作業中に後方の状況を確認する（見る）ことができるように、刈払機に備えられていればよい。
【００３４】
なお、本実施形態では、作業者が携帯して使用する刈払機の一例として、肩掛け式でＵハンドル（両手ハンドル）タイプの刈払機１を用いて説明したが、肩掛け式でループハンドルタイプやツーグリップタイプの刈払機にも、同様の後方確認用ミラーを設けることができる。また、原動機を架台に搭載して背負うようにした背負い式の刈払機にも、同様の後方確認用ミラーを設けることができる。背負い式の刈払機の場合は、原動機と操作杆の内部を通る駆動軸とがフレキシブルシャフトで連結されている。
【００３５】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００３６】
本考案は、作業者が作業を行いながら容易に後方の状況を確認することができる刈払機等として有用である。
【符号の説明】
【００３７】
１  刈払機
２  操作杆
３  原動機
５  刈刃
６  操作ハンドル
８  飛散防止カバー
１１，２１，３１  後方確認用ミラー
Ｍ  作業者
【図１】
0003208014.tif 000003
【図２】
0003208014.tif 000004